(57)【要約】【課題】低温やけどを回避できる充電装置を得る。【解決手段】充電台１の上面に電子機器７を嵌めて置く機器設置凹部８を設ける。機器設置凹部８は、電子機器７の背面を支える後壁面８ａをその上部側が斜め後方に倒れた傾斜面とし、この後壁面８ａの下端にはこれに直交する底壁面８ｂを設け、底壁面８ｂに対して手前には前壁面８ｃを後壁面８ａと平行する向きで後壁面８ａより低い高さで設けて形成する。機器設置凹部８の底壁面８ｂには、電源端子を底壁面から上向きに突出させて設けれ、また電子機器７が嵌めて置いた際に下向きに押されて電源端子に通電をするスイッチ１２の操作を行う押圧子１３を設ける。押圧子１３は、機器設置凹部８の底壁面８ａに直交する方向からの押圧力に対しては下降するが前壁面８ｃから後壁面８ａに直交する方向の押圧力に対しては下降しない構造にする。【選択図】図３
2008289321.tif 000002
【特許請求の範囲】
【請求項１】
充電台の上面に充電すべき電子機器を嵌めて置く機器設置凹部が設けられ、前記機器設置凹部には前記電子機器の背面を支える後壁面が、該凹部の低壁面に交差する角度に設けられ、該底壁面の手前側には前壁面が前記後壁面と平行する向きで前記後壁面より低い高さで設けられて形成され、前記機器設置凹部の前記底壁面には電源端子が前記充電台の前記底壁面から上向きに突設され、前記底壁面には前記機器設置凹部に前記電子機器が嵌めて置かれた際に下向きに押されて前記電源端子に通電をするスイッチの操作を行う押圧子が設けられ、前記電子機器が前記機器設置凹部に置かれて前記電子機器の充電端子を前記電源端子に接触させて充電を行う充電装置であって、
前記押圧子は前記機器設置凹部の前記底壁面に直交する方向からの押圧力に対しては下降するが前記前壁面から前記後壁面側に向かう方向の押圧力に対しては下降しない構造になっていることを特徴とする充電装置。
【請求項２】
前記押圧子は、前記機器設置凹部の下側に前記機器設置凹部の長手方向に沿って該機器設置凹部の下面に平行する向きで回転自在に支持された回転軸と、前記回転軸の外周に偏心して突設されて前記機器設置凹部の前記底壁面の窓から外に前記底壁面の幅方向に突出された外部偏心カム部分と、前記回転軸の外周に偏心して突設されて前記外部偏心カム部分が下向きに押されて前記回転軸が回転した際に前記スイッチの操作を行う内部偏心カム部分と、前記回転軸の外周に径方向に突設されたストッパー部材と、前記外部偏心カム部分が前記底壁面の窓から外に突出するように付勢すると共にその突出長を前記ストッパー部材の先端が前記底壁面の下面に当たることにより阻止する付勢バネとを備え、前記外部偏心カム部分の外周は前記機器設置凹部の前記底壁面から外に突出した状態で前記機器設置凹部の前記底壁面に直交して突出する方向を頂部として前記前壁面に向かうにつれてテーパ状に低くなって前記底壁面に接近するテーパ面として形成されていることを特徴とする請求項１に記載の充電装置。
【請求項３】
前記前記機器設置凹部の後壁面は、その上部側が斜め後方に倒れた傾斜面となっており、その下端の底壁面は、手前に対して後部が下向きに下がった傾斜面となっている請求項１又は２のいずれか１に記載の充電装置。
【発明の詳細な説明】
【技術分野】
【０００１】
本発明は、充電台の上面に機器設置凹部に電子機器をその一方の側面を下向きにして横向きに設置した状態で、電子機器の充電端子を充電台の電源端子に接触させて充電を行う横置き式充電装置に関するものである。
【背景技術】
【０００２】
携帯電話の如き携帯型の電子機器は、充電装置で充電をする必要がある。従来の電子機器を上部に設置して充電する充電装置は、電源端子が充電台の上面の機器設置凹部の表面から出没する構造ではなく、機器設置凹部上に該電源端子が突出されて状態で固定されており、また機器設置凹部の表面の隣接した位置には押圧子が上下動可能に突設されており、機器設置凹部には電子機器を仮り係止するフック機構が設けられた構造になっていた。
【０００３】
この横置き式充電装置における充電台の上面に機器設置凹部は、電子機器の背面を支える後壁面がその上部側が斜め後方に倒れた傾斜面となっており、この後壁面の下端にはこれに直交する底壁面が水平面に対してはその手前に対して後部が下向きに下がった傾斜面となるように設けられ、底壁面に対して手前には前壁面が後壁面と平行する向きで後壁面より低い高さで設けられて形成されている。機器設置凹部の底壁面には電源端子が充電台の底壁面から上向きに突設され、底壁面には機器設置凹部に電子機器が嵌めて置かれた際に下向きに押されて電源端子に通電をするスイッチの操作を行う押圧子が設けられ、電子機器が機器設置凹部に置かれて電子機器の充電端子を電源端子に接触させて充電を行うようになっている（例えば、特許文献１参照。）。
【特許文献１】特開２００６−８７２２３号公報
【発明の開示】
【発明が解決しようとする課題】
【０００４】
しかしながら、従来のこのような構造の横充電装置では、機器設置凹部上に常時突出している電源端子に隣接して押圧子が突出されているので、例えば就寝中に手を誤って機器設置凹部に入れて押圧子を押し下げてしまうと、スイッチが操作をされて押圧子に隣接して存在する電源端子に通電がなされ、低温やけどをひきおこす問題点があった。
【０００５】
本発明の目的は、低温やけどを回避できる充電装置を提供することにある。
【課題を解決するための手段】
【０００６】
上記の課題を解決する本発明の構成を説明すると、下記のとおりである。
【０００７】
請求項１に記載の発明は、充電台の上面に充電すべき電子機器を嵌めて置く機器設置凹部が設けられ、前記機器設置凹部には前記電子機器の背面を支える後壁面が、該凹部の低壁面に交差する角度に設けられ、該底壁面の手前側には前壁面が前記後壁面と平行する向きで前記後壁面より低い高さで設けられて形成され、前記機器設置凹部の前記底壁面には電源端子が前記充電台の前記底壁面から上向きに突設され、前記底壁面には前記機器設置凹部に前記電子機器が嵌めて置かれた際に下向きに押されて前記電源端子に通電をするスイッチの操作を行う押圧子が設けられ、前記電子機器が前記機器設置凹部に置かれて前記電子機器の充電端子を前記電源端子に接触させて充電を行う充電装置であって、
前記押圧子は前記機器設置凹部の前記底壁面に直交する方向からの押圧力に対しては下降するが前記前壁面から前記後壁面側に向かう方向の押圧力に対しては下降しない構造になっていることを特徴とする。
【０００８】
請求項２に記載の発明は、請求項１において、前記押圧子は、前記機器設置凹部の下側に前記機器設置凹部の長手方向に沿って該機器設置凹部の下面に平行する向きで回転自在に支持された回転軸と、前記回転軸の外周に偏心して突設されて前記機器設置凹部の前記底壁面の窓から外に前記底壁面の幅方向に突出された外部偏心カム部分と、前記回転軸の外周に偏心して突設されて前記外部偏心カム部分が下向きに押されて前記回転軸が回転した際に前記スイッチの操作を行う内部偏心カム部分と、前記回転軸の外周に径方向に突設されたストッパー部材と、前記外部偏心カム部分が前記底壁面の窓から外に突出するように付勢すると共にその突出長を前記ストッパー部材の先端が前記底壁面の下面に当たることにより阻止する付勢バネとを備え、前記外部偏心カム部分の外周は前記機器設置凹部の前記底壁面から外に突出した状態で前記機器設置凹部の前記底壁面に直交して突出する方向を頂部として前記前壁面に向かうにつれてテーパ状に低くなって前記底壁面に接近するテーパ面として形成されていることを特徴とする。
【０００９】
請求項３に記載の発明は、請求項１又は２のいずれか１において、前記前記機器設置凹部の後壁面は、その上部側が斜め後方に倒れた傾斜面となっており、その下端の底壁面は、手前に対して後部が下向きに下がった傾斜面となっていることを特徴とする。
【発明の効果】
【００１０】
請求項１に記載の充電装置では、押圧子が、機器設置凹部の底壁面に直交する方向からの押圧力に対しては下降するが前壁面から後壁面に直交する方向の押圧力に対しては下降しない構造になっているので、例えば就寝中に手を誤って機器設置凹部に前壁面から入れて押圧子を押しても押圧子は押し下げられず、このためスイッチが操作されず、従って電源端子には通電がなされず、低温やけどを回避することができる。
【００１１】
請求項２に記載の充電装置では、特殊な動作をする押圧子が、回転軸と、外部偏心カム部分と、内部偏心カム部分と、ストッパー部材とで一体に構成されており、部品点数が少なくなり、低コストで構成することができる。
【００１２】
請求項３に記載の充電装置では、機器設置凹部の後部に後壁面が立ち上がり、底壁面が後方側を低く傾斜されているため、該機器設置凹部に挿入される手は、自然の状態では低壁面に対して手前側から後部側へ動きとなる場合が多くなり、押圧子の降下動作がされにくい動きとなって、安全性がより高い。
【発明を実施するための最良の形態】
【００１３】
以下、本発明に係る充電装置を実施するための最良の形態を、図面に示す実施例により詳細に説明する。
【００１４】
図１乃至図５は本発明に係る充電装置の一実施例を示したもので、図１は本例の充電装置の斜視図、図２は本例の充電装置の要部平面図、図３は図２のＸ−Ｘ線断面図、図４は図２のＹ−Ｙ線断面図、図５は押圧子の斜視図である。
【００１５】
本例の充電装置では、合成樹脂で形成された充電台１の下面が、合成樹脂で形成された底板２で塞がれている。充電台１は、上面部１ａの外周から周面部１ｂが下向きに一体に突設され、下面が開口された構造になっている。底板２は、底面部２ａの外周の正面から側面にかけて周面部２ｂが上向きに一体に突設されている。底板２の上に充電台１が被せられ、底板２の周面部上縁の凹部５ａと充電台１の周面部１ｂの凸部５ｂとの嵌め合わせによりロックされている。
【００１６】
底板２内には充電回路を構成する回路基板６が配置され、底板２の底面部２ａを貫通する図示しないネジにより固定されている。
【００１７】
充電台１の上面部１ａには、充電すべき携帯電話の如き電子機器７を嵌めて置く機器設置凹部８が設けられている。この機器設置凹部８は、電子機器７の背面を支える後壁面８ａがその上部側が斜め後方に倒れた傾斜面となっており、この後壁面８ａの下端にはこれに交差する向き（本例では直交する向き）の底壁面８ｂが水平面を基準としたときには手前に対して後部が下向きに下がった傾斜面となるように設けられ、底壁面８ｂの手前側には前壁面８ｃが後壁面８ａと平行する向きで後壁面８ａより低い高さで設けられ、平行する後壁面８ａと前壁面８ｃの両端はそれぞれ側壁面８ｄで塞がれて形成されている。側壁面８ｄには、機器設置凹部８に嵌め込まれた電子機器７をその側面の図示しない凹部に引っ掛けてロックするフック機構９が設けられている。
【００１８】
機器設置凹部８の底壁面８ｂには、２本の電源端子１０と３本の信号端子１１とが充電台１の底壁面８ｂから上向きに突設されて設けられている。また底壁面８ｂには、機器設置凹部８に電子機器７が嵌めて置かれた際に下向きに押されて電源端子１０と信号端子１１とに通電をするスイッチ１２の操作子１２ａの操作を行う押圧子１３が設けられている。
【００１９】
各電源端子１０と各信号端子１１は、通常はシャッター１４で覆われていて、シャッター１４が押し下げられると、シャッター１４の各窓１４ａから電源端子１０と信号端子１１が露出するようになっている。シャッター１４は、充電台１の中でコ字型のシャッターフレーム１４ｂと一体になっている。シャッターフレーム１４ｂの平行部分におけるそれぞれの中間部の内向き面には、軸１５がそれぞれ突設されている。これら軸１５は、底板２の底面部２ａから立設されたブラケットと機器設置凹部８の底壁面８ｂから立設されたブラケットとからなる軸受部材１６により回転自在に支持されている。底板２の底面部２ａから立設されたブラケットは、回路基板６の孔を通り抜けて立設されている。シャッター１４とシャッターフレーム１４ｂとは、機器設置凹部８の底壁面８ｂから下向きにＬ字状に立設されたバネ支持軸１７に巻き付けられた付勢バネ１８の両端をシャッターフレーム１４ｂの平行部分に引っ掛けることにより、シャッター１４が機器設置凹部８の底壁面８ｂの窓１９から外に突出するようになっている。
【００２０】
各電源端子１０と各信号端子１１は、それぞれ弾性金属線１０ａ及び１１ａで形成されていて、それぞれの始端側はループ状部１０ｂ及び１１ｂの外周を図４に示すように回路基板６に接触させた状態で該回路基板６にＵターン状態で貫通された後に該回路基板６上の端子部に半田付けされている。各ループ状部１０ｂ及び１１ｂは、回路基板６上に立設された絶縁フレーム２０で相互に絶縁されている。
【００２１】
このため電子機器７は、機器設置凹部８に置かれて電子機器７の図示しない充電端子を電源端子１０に接触させて充電を行うようになっている。
【００２２】
押圧子１３は、機器設置凹部８の底壁面８ｂに直交する方向からの押圧力に対しては下降するが前壁面８ｃから後壁面８ａ側に向かう方向の押圧力に対しては下降しない構造になっている。本例の押圧子１３は、機器設置凹部８の下側に機器設置凹部８の長手方向に沿って該機器設置凹部８の下面に平行する向きで回転自在に支持された回転軸２１と、回転軸２１の外周に偏心して突設されて機器設置凹部８の底壁面８ｂの窓２２から外に底壁面８ｂの幅方向に突出された外部偏心カム部分２３と、回転軸２１の外周に偏心して突設されて外部偏心カム部分２３が下向きに押されて回転軸２１が回転した際にスイッチ１２の操作子１２ａの操作を行う内部偏心カム部分２４と、回転軸２１の外周に径方向に突設されたストッパー部材２５と、外部偏心カム部分２３が底壁面８ｂの窓２２から外に突出するように付勢すると共にその突出長をストッパー部材２５の先端が底壁面８ｂの下面に当たることにより阻止する付勢バネ２６とを備えている。外部偏心カム部分２３の外周は、機器設置凹部８の底壁面８ｂから外に突出した状態で機器設置凹部８の底壁面８ｂに直交して突出する方向を頂部２３ａとして前壁面８ｂに向かうにつれてテーパ状に低くなって底壁面８ｂに接近するテーパ面２３ｂとして形成されている。回転軸２１は、前述した軸受部材１６と同様な構造をした軸受部材２７で回転自在に支持されている。
【００２３】
このような充電装置は、機器設置凹部８に電子機器７を差し込むと、その底部の挿入でシャッター１４が下がり、電源端子１０が露出されて電子機器７の図示しない充電端子に接触する状態になる。また、機器設置凹部８に対する電子機器７の差し込みにより、押圧子１３の外部偏心カム部分２３が回転軸２１を中心にして回転して底壁面８ｂの下に入り込み、これに伴い内部偏心カム部分２４が外部偏心カム部分２３と同方向に回転してスイッチ１２の操作子１２ａを操作し、電源端子１０に通電を行い、電子機器７が充電される。
【００２４】
このような充電装置で、押圧子１３が、機器設置凹部８の底壁面８ａに直交する方向からの押圧力に対しては下降するが前壁面８ｃから後壁面８ａに直交する方向の押圧力に対しては下降しない構造になっているので、例えば就寝中に手を誤って機器設置凹部８に前壁面８ｃから入れて押圧子１３の外部偏心カム部分２３を押しても押圧子１３の外部偏心カム部分２３は押し下げられず、このためスイッチ１２が操作されず、従って電源端子１０には通電がなされず、低温やけどを回避することができる。
【００２５】
本例では、特殊な動作をする押圧子１３が、回転軸２１と、外部偏心カム部分２３と、内部偏心カム部分２４と、ストッパー部材２５とで一体に構成されており、部品点数が少なくなり、低コストで構成することができる。
【００２６】
押圧子１３を、機器設置凹部８の底壁面８ａに直交する方向からの押圧力に対しては下降するが前壁面８ｃから後壁面８ａに直交する方向の押圧力に対しては下降しない構造にするのは、前述した一体構成に限らず、複数の部材の組み合わせにより構成することもできる。
【図面の簡単な説明】
【００２７】
【図１】本発明に係る充電装置の一実施例を示した斜視図である。
【図２】本例の充電装置の要部平面図である。
【図３】図２のＸ−Ｘ線断面図である。
【図４】図２のＹ−Ｙ線断面図である。
【図５】本例の押圧子の斜視図である。
【符号の説明】
【００２８】
１  充電台
２  底板
６  回路基板
７  電子機器
８  機器設置凹部
８ａ  後壁面
８ｂ  底壁面
８ｃ  前壁面
９  フック機構
１０  電源端子
１０ａ  弾性金属線
１０ｂ  ループ状部
１１  信号端子
１１ａ  弾性金属線
１１ｂ  ループ状部
１２  スイッチ
１２ａ  操作子
１３  押圧子
１４  シャッター
１４ａ  窓
１４ｂ  シャッターフレーム
１５  軸
１６  軸受部材
１７  バネ支持軸
１８  付勢バネ
１９  窓
２０  絶縁フレーム
２１  回転軸
２２  窓
２３  外部偏心カム部分
２４  内部偏心カム部分
２５  ストッパー部材
２６  付勢バネ
２７  軸受部材
【図１】
2008289321.tif 000003
【図２】
2008289321.tif 000004
【図３】
2008289321.tif 000005
【図４】
2008289321.tif 000006
【図５】
2008289321.tif 000007